(57)【要約】【課題】ＡＰの位置変更が多い環境で高い正確度の室内位置情報を側位できる無線アクセスポイント位置情報提供及び更新方法、そのための電子装置及びサーバー装置を提供する。【解決手段】端末は、絶対位置情報と共に絶対位置の周辺ＡＰ信号情報及び気圧情報のうちの少なくとも一つ以上を獲得するステップと、絶対位置情報と共に絶対位置の周辺ＡＰ信号情報及び気圧情報のうちの少なくとも一つ以上を位置サーバーに伝送するステップと、を有し、サーバーは、端末から絶対位置と共に絶対位置の周辺ＡＰ信号情報及び気圧情報のうちの少なくとも一つ以上を受信するステップと、受信した絶対位置及び絶対位置の周辺ＡＰ信号情報に基づいてＡＰの位置を計算するステップと、計算されたＡＰの位置を利用して関連ＡＰ位置を更新するステップと、を有する。【選択図】図４
2013172451.tif 000002
【特許請求の範囲】
【請求項１】
電子装置の無線アクセスポイント位置情報を提供する方法であって、
電子装置の絶対位置情報を獲得するステップと、
前記絶対位置情報と共に前記絶対位置の周辺アクセスポイント（ＡＰ）信号情報を位置サーバーに伝送するステップと、を有することを特徴とする位置情報提供方法。
【請求項２】
前記絶対位置で周辺ＡＰ信号をスキャンするステップを更に含むことを特徴とする請求項１に記載の位置情報提供方法。
【請求項３】
前記ＡＰ信号情報は、ＡＰの信号強度、ＡＰ固有名称のＳＳＩＤ（Ｓｅｒｖｉｃｅ  Ｓｅｔ  Ｉｄｅｎｔｉｆｉｅｒ）、ＭＡＣアドレスのうちの少なくとも一つ以上を含むことを特徴とする請求項１に記載の位置情報提供方法。
【請求項４】
前記絶対位置情報を獲得するステップは、
二次元コード又はバーコードを認識することを特徴とする請求項１に記載の位置情報提供方法。
【請求項５】
前記絶対位置情報を獲得するステップは、
ＲＦタグ又はカード決済によるイベント発生の際に、ＲＦリーダー又はカード読取機から関連情報を受信することを特徴とする請求項１に記載の位置情報提供方法、
【請求項６】
前記絶対位置情報に基づいて前記位置サーバーから前記電子装置の位置情報を受信するステップを更に含むことを特徴とする請求項１に記載の位置情報提供方法。
【請求項７】
前記絶対位置情報なしに前記絶対位置の周辺ＡＰ信号情報を前記位置サーバーに提供して位置情報を要求するステップと、
前記位置サーバーから前記電子装置の位置情報及び前記電子装置周辺の位置情報が提供されて地理情報システム（Ｇｅｏｇｒａｐｈｉｃ  Ｉｎｆｏｒｍａｔｉｏｎ  Ｓｙｓｔｅｍ：ＧＩＳ）と連動して提供された位置情報を表示するステップと、を更に含むことを特徴とする請求項１に記載の位置情報提供方法。
【請求項８】
電子装置の無線アクセスポイント位置情報及び気圧情報のうちの少なくとも一つ以上を提供する方法であって、
電子装置の絶対位置情報と共に絶対位置の周辺アクセスポイント（ＡＰ）信号情報及び気圧情報のうちの少なくとも一つ以上を獲得するステップと、
前記絶対位置情報と共に前記絶対位置の周辺ＡＰ信号情報及び気圧情報のうちの少なくとも一つ以上を位置サーバーに伝送するステップと、を有することを特徴とする位置情報提供方法。
【請求項９】
前記絶対位置情報を獲得するステップは、
二次元コード又はバーコードを認識することを特徴とする請求項８に記載の位置情報提供方法。
【請求項１０】
前記絶対位置情報を獲得するステップは、
ＲＦタグ又はカード決済によるイベント発生の際に、ＲＦリーダー又はカード読取機から関連情報を受信することを特徴とする請求項８に記載の位置情報提供方法、
【請求項１１】
前記気圧情報を獲得するステップは、
前記電子装置に付着されたセンサーを通じて気圧を測定するステップと、
前記測定された気圧を気圧情報に変換するステップと、を含むことを特徴とする請求項８に記載の位置情報提供方法。
【請求項１２】
サーバーによる無線アクセスポイント位置側位及び建物の層間情報を更新する方法であって、
端末から絶対位置情報と共に前記絶対位置の周辺アクセスポイント（ＡＰ）信号情報及び気圧情報のうちの少なくとも一つ以上を受信するステップと、
前記受信した絶対位置情報及び前記絶対位置の周辺ＡＰ信号情報に基づいてＡＰの位置を計算するステップと、
前記計算されたＡＰの位置を利用して関連ＡＰ位置を更新するステップと、を有することを特徴とする位置情報更新方法。
【請求項１３】
前記絶対位置は、二次元コード、ＲＦリーダー、又はカード読取機が在る位置であることを特徴とする請求項１２に記載の位置情報更新方法。
【請求項１４】
前記計算されたＡＰの位置を利用して関連ＡＰ位置を更新するステップは、
前記計算されたＡＰの位置と既記憶されたＡＰの位置とを比較してＡＰ位置更新が必要であるか否かを判断するステップと、
前記ＡＰ位置更新が必要な場合、前記関連ＡＰ位置を更新するステップと、を含むことを特徴とする請求項１２に記載の位置情報更新方法。
【請求項１５】
前記受信した絶対位置及び前記絶対位置の周辺ＡＰ信号情報に基づいてＡＰの位置を計算するステップは、
前記受信した絶対位置から集められたＡＰ信号情報を組み合わせて、位置に応じて変わるＡＰの信号強度を推定するステップを含むことを特徴とする請求項１２に記載の位置情報更新方法。
【請求項１６】
前記端末の絶対位置情報及び前記端末により感知された気圧情報に基づいて前記層間気圧情報を更新するステップを更に含むことを特徴とする請求項１２に記載の位置情報更新方法。
【請求項１７】
前記端末から位置情報が要求されるステップと、
前記端末周辺のＡＰ信号情報に基づいて前記端末の位置を決定して前記端末に提供するステップと、を更に含むことを特徴とする請求項１２に記載の位置情報更新方法。
【請求項１８】
前記絶対位置に対応する前記端末の位置情報を提供するステップを更に含むことを特徴とする請求項１２に記載の位置情報更新方法。
【請求項１９】
一つ以上のプロセッサと、
メモリと、
前記メモリに記憶されて前記一つ以上のプロセッサによって実行されるように構成された一つ以上のプログラムと、を有する電子装置であって、
前記プログラムは、
電子装置の絶対位置情報を獲得し、
前記絶対位置情報と共に前記絶対位置の周辺アクセスポイント（ＡＰ）信号情報を位置サーバーに伝送する命令語を含むことを特徴とする電子装置。
【請求項２０】
前記プログラムは、
前記絶対位置で周辺ＡＰ信号をスキャンする命令語を更に含むことを特徴とする請求項１９に記載の電子装置。
【請求項２１】
前記ＡＰ信号情報は、ＡＰの信号強度、ＡＰ固有名称のＳＳＩＤ（Ｓｅｒｖｉｃｅ  Ｓｅｔ  Ｉｄｅｎｔｉｆｉｅｒ）、ＭＡＣアドレスのうちの少なくとも一つ以上を含むことを特徴とする請求項１９に記載の電子装置。
【請求項２２】
前記絶対位置情報を獲得する命令語は、
二次元コード又はバーコードを認識することを特徴とする請求項１９に記載の電子装置。
【請求項２３】
前記絶対位置情報を獲得する命令語は、
ＲＦタグ又はカード決済によるイベント発生の際に、ＲＦリーダー又はカード読取機から関連情報を受信することを特徴とする請求項１９に記載の電子装置。
【請求項２４】
前記プログラムは、
前記絶対位置情報に基づいて前記位置サーバーから前記電子装置の位置情報を受信する命令語を更に含むことを特徴とする請求項１９に記載の電子装置。
【請求項２５】
前記プログラムは、
前記絶対位置情報なしに前記絶対位置の周辺ＡＰ信号情報を前記位置サーバーに提供して位置情報を要求し、
前記位置サーバーから前記電子装置の位置情報及び前記電子装置周辺の位置情報が提供されて地理情報システム（Ｇｅｏｇｒａｐｈｉｃ  Ｉｎｆｏｒｍａｔｉｏｎ  Ｓｙｓｔｅｍ：ＧＩＳ）と連動して提供された位置情報を表示する命令語を更に含むことを特徴とする請求項１９に記載の電子装置。
【請求項２６】
一つ以上のプロセッサと、
メモリと、
前記メモリに記憶されて前記一つ以上のプロセッサによって実行されるように構成された一つ以上のプログラムと、を有する電子装置であって、
前記プログラムは、
電子装置の絶対位置情報と共に絶対位置の周辺アクセスポイント（ＡＰ）信号情報及び気圧情報のうちの少なくとも一つ以上を獲得し、
前記絶対位置情報と共に前記絶対位置の周辺ＡＰ信号情報及び気圧情報のうちの少なくとも一つ以上を位置サーバーに伝送する命令語を含むことを特徴とする電子装置。
【請求項２７】
前記絶対位置情報を獲得する命令語は、
二次元コード又はバーコードを認識することを特徴とする請求項２６に記載の電子装置。
【請求項２８】
前記絶対位置情報を獲得する命令語は、
ＲＦタグ又はカード決済によるイベント発生の際に、ＲＦリーダー又はカード読取機から関連情報を受信することを特徴とする請求項２６に記載の電子装置。
【請求項２９】
前記気圧情報を獲得する命令語は、
前記電子装置に付着されたセンサーを通じて気圧を測定し、
前記測定された気圧を気圧情報に変換する命令語を含むことを特徴とする請求項２６に記載の電子装置。
【請求項３０】
無線アクセスポイント位置側位及び建物の層間情報を更新するサーバー装置であって、
端末から絶対位置情報と共に前記絶対位置の周辺アクセスポイント（ＡＰ）信号情報及び気圧情報のうちの少なくとも一つ以上を受信し、
前記受信した絶対位置情報及び前記絶対位置の周辺ＡＰ信号情報に基づいてＡＰの位置を計算する制御部と、
前記計算されたＡＰの位置を利用して関連ＡＰ位置を更新する更新部と、を備えることを特徴とするサーバー装置。
【請求項３１】
前記絶対位置は、二次元コード、ＲＦリーダー、又はカード読取機が在る位置であることを特徴とする請求項３０に記載のサーバー装置。
【請求項３２】
前記更新部は、
前記計算されたＡＰの位置と既記憶されたＡＰの位置とを比較してＡＰ位置更新が必要であるか否かを判断し、
前記ＡＰ位置更新が必要な場合、前記関連ＡＰ位置を更新することを特徴とする請求項３０に記載のサーバー装置。
【請求項３３】
前記制御部は、
前記受信した絶対位置及び前記絶対位置の周辺ＡＰ信号情報に基づいてＡＰの位置を計算し、
前記受信した絶対位置から集められたＡＰ信号情報を組み合わせて、位置に応じて変わるＡＰの信号強度を推定することを特徴とする請求項３０に記載のサーバー装置。
【請求項３４】
前記更新部は、
前記端末の絶対位置情報及び前記端末により感知された気圧情報に基づいて前記層間気圧情報を更新することを特徴とする請求項３０に記載のサーバー装置。
【請求項３５】
前記制御部は、
前記端末から位置情報が要求され、
前記端末周辺のＡＰ信号情報に基づいて前記端末の位置を決定して前記端末に提供することを特徴とする請求項３０に記載のサーバー装置。
【請求項３６】
前記制御部は、
前記絶対位置に対応する前記端末の位置情報を提供することを特徴とする請求項３０に記載のサーバー装置。
【発明の詳細な説明】
【技術分野】
【０００１】
本発明は、無線アクセスポイント位置側位に関するものであり、より詳細には、基準となる絶対位置を通じて室内無線アクセスポイント（ＡＰ：Ａｃｃｅｓｓ  Ｐｏｉｎｔ）位置を側位して提供する方法及び更新する方法、そのための電子装置及びサーバー装置に関するものである。
【背景技術】
【０００２】
位置基盤サービス（Ｌｏｃａｔｉｏｎ  Ｂａｓｅｄ  Ｓｙｓｔｅｍ：ＬＢＳ）は、有線及び移動通信網を基盤として人や物の位置を正確に把握してこれを活用する応用システム及びサービスである。即ち、位置側位技術を利用してラップトップ、ＰＤＡ（Ｐｅｒｓｏｎａｌ  Ｄｉｇｉｔａｌ  Ａｓｓｉｓｔａｎｔｓ）、携帯電話などの移動通信端末機加入者の位置をリアルタイムに把握してユーザに提供するサービス技術である。
【０００３】
一方、ＬＢＳは、位置提供可能な端末機を利用して移動通信網に要求し、多様な位置側位決定技術を利用して側位結果値を地図に表示するか又は周辺情報を提供する地理情報システム（Ｇｅｏｇｒａｐｈｉｃ  Ｉｎｆｏｒｍａｔｉｏｎ  Ｓｙｓｔｅｍ：ＧＩＳ）と連動して作動する。
【０００４】
ＬＢＳの主要技術構成要素としては、移動通信網で位置を把握する位置側位技術、基地局及びＡＰなどの施設情報を含む位置データ管理のための核心プラットフォーム及び応用基盤技術などがある。この中、核心技術のうちの一つである位置側位技術には移動通信ネットワーク基盤の情報を利用したＣｅｌｌ  ＩＤ、Ｃｅｌｌ  Ｈｅａｄｅｒなどとハンドセット基板のＡ−ＧＰＳ方式などがあり、また、最近話題に挙がっている無線ＬＡＮ基盤のＷＰＳ（Ｗｉｆｉ  Ｐｏｓｉｔｉｏｎｉｎｇ  Ｓｙｓｔｅｍ）方式などがある。
【０００５】
ＷＰＳは、アクセスポイント（ＡＰ）から放射されたＲＦ信号パラメータ（ＭＡＣアドレス、信号強度など）を端末機で受信し、ＷＰＳサーバーが端末とシステムとの間の位置側位決定技術を使用してユーザの位置を計算して端末に提供する技術である。
【０００６】
ＷＰＳシステムを具現するためには、ＡＰの情報を収集及び分析し、収集及び分析されたＡＰ情報を利用して側位アルゴリズムを具現することが必須である。
【０００７】
しかし、建物内の無線ＡＰ位置は、ユーザ或いは管理者によって度々変更されることが多いので、建物内でＷＰＳを利用して位置を側位することには適してない。
【先行技術文献】
【特許文献】
【０００８】
【特許文献１】韓国特許出願公開第１０−２０１１−００６９９０２号明細書
【発明の概要】
【発明が解決しようとする課題】
【０００９】
本発明は、上記従来の問題点に鑑みてなされたものであって、本発明の目的は、無線アクセスポイント位置側位方法、そのための電子装置及びサーバー装置を提供することにある。
また、本発明の目的は、管理者なしに自動的に建物内の無線ＡＰの位置情報を更新する方法、そのための電子装置及びサーバー装置を提供することにある。
また、本発明の目的は、絶対位置で探索されたＡＰ信号情報及び気圧情報のうちの少なくとも一つ以上を利用して正確な建物の層間情報を提供する方法、そのための電子装置及びサーバー装置を提供することにある。
【課題を解決するための手段】
【００１０】
上記目的を達成するためになされた本発明の一態様による電子装置の無線アクセスポイント位置情報を提供する方法は、電子装置の絶対位置情報を獲得するステップと、前記絶対位置情報と共に前記絶対位置の周辺アクセスポイント（ＡＰ）信号情報を位置サーバーに伝送するステップと、を有することを特徴とする。
【００１１】
前記位置情報提供方法は、前記絶対位置で周辺ＡＰ信号をスキャンするステップを更に含み得る。
前記ＡＰ信号情報は、ＡＰの信号強度、ＡＰ固有名称のＳＳＩＤ（Ｓｅｒｖｉｃｅ  Ｓｅｔ  Ｉｄｅｎｔｉｆｉｅｒ）、ＭＡＣアドレスのうちの少なくとも一つ以上を含み得る。
前記絶対位置情報を獲得するステップは、二次元コード又はバーコードを認識し得る。
また、前記絶対位置情報を獲得するステップは、ＲＦタグ又はカード決済によるイベント発生の際に、ＲＦリーダー又はカード読取機から関連情報を受信してもよい。
前記位置情報提供方法は、前記絶対位置情報に基づいて前記位置サーバーから前記電子装置の位置情報を受信するステップを更に含み得る。
また、前記位置情報提供方法は、前記絶対位置情報なしに前記絶対位置の周辺ＡＰ信号情報を前記位置サーバーに提供して位置情報を要求するステップと、前記位置サーバーから前記電子装置の位置情報及び前記電子装置周辺の位置情報が提供されて地理情報システム（Ｇｅｏｇｒａｐｈｉｃ  Ｉｎｆｏｒｍａｔｉｏｎ  Ｓｙｓｔｅｍ：ＧＩＳ）と連動して提供された位置情報を表示するステップと、を更に含み得る。
【００１２】
上記目的を達成するためになされた本発明の他の態様による電子装置の無線アクセスポイント位置情報及び気圧情報のうちの少なくとも一つ以上を提供する方法は、電子装置の絶対位置情報と共に絶対位置の周辺アクセスポイント（ＡＰ）信号情報及び気圧情報のうちの少なくとも一つ以上を獲得するステップと、前記絶対位置情報と共に前記絶対位置の周辺ＡＰ信号情報及び気圧情報のうちの少なくとも一つ以上を位置サーバーに伝送するステップと、を有することを特徴とする。
【００１３】
前記気圧情報を獲得するステップは、前記電子装置に付着されたセンサーを通じて気圧を測定するステップと、前記測定された気圧を気圧情報に変換するステップと、を含み得る。
【００１４】
上記目的を達成するためになされた本発明の一態様によるサーバーによる無線アクセスポイント位置側位及び建物の層間情報を更新する方法は、端末から絶対位置情報と共に前記絶対位置の周辺アクセスポイント（ＡＰ）信号情報及び気圧情報のうちの少なくとも一つ以上を受信するステップと、前記受信した絶対位置情報及び前記絶対位置の周辺ＡＰ信号情報に基づいてＡＰの位置を計算するステップと、前記計算されたＡＰの位置を利用して関連ＡＰ位置を更新するステップと、を有することを特徴とする。
【００１５】
前記計算されたＡＰの位置を利用して関連ＡＰ位置を更新するステップは、前記計算されたＡＰの位置と既記憶されたＡＰの位置とを比較してＡＰ位置更新が必要であるか否かを判断するステップと、前記ＡＰ位置更新が必要な場合、前記関連ＡＰ位置を更新するステップと、を含み得る。
前記受信した絶対位置及び前記絶対位置の周辺ＡＰ信号情報に基づいてＡＰの位置を計算するステップは、前記受信した絶対位置から集められたＡＰ信号情報を組み合わせて、位置に応じて変わるＡＰの信号強度を推定するステップを含み得る。
前記位置情報更新方法は、前記端末の絶対位置情報及び前記端末により感知された気圧情報に基づいて前記層間気圧情報を更新するステップを更に含み得る。
また、前記位置情報更新方法は、前記端末から位置情報が要求されるステップと、前記端末周辺のＡＰ信号情報に基づいて前記端末の位置を決定して前記端末に提供するステップと、を更に含み得る。
また、前記位置情報更新方法は、前記絶対位置に対応する前記端末の位置情報を提供するステップを更に含み得る。
【００１６】
上記的を達成するためになされた本発明の一態様による電子装置は、一つ以上のプロセッサと、メモリと、前記メモリに記憶されて前記一つ以上のプロセッサによって実行されるように構成された一つ以上のプログラムと、を有し、前記プログラムは、電子装置の絶対位置情報を獲得し、前記絶対位置情報と共に前記絶対位置の周辺アクセスポイント（ＡＰ）信号情報を位置サーバーに伝送する命令語を含むことを特徴とする。
【００１７】
上記目的を達成するためになされた本発明の他の態様による電子装置は、一つ以上のプロセッサと、メモリと、前記メモリに記憶されて前記一つ以上のプロセッサによって実行されるように構成された一つ以上のプログラムと、を有し、前記プログラムは、電子装置の絶対位置情報と共に絶対位置の周辺アクセスポイント（ＡＰ）信号情報及び気圧情報のうちの少なくとも一つ以上を獲得し、前記絶対位置情報と共に前記絶対位置の周辺ＡＰ信号情報及び気圧情報のうちの少なくとも一つ以上を位置サーバーに伝送する命令語を含むことを特徴とする。
【００１８】
上記目的を達成するためになされた本発明の一態様による無線アクセスポイント位置側位及び建物の層間情報を更新するサーバー装置は、端末から絶対位置情報と共に前記絶対位置の周辺アクセスポイント（ＡＰ）信号情報及び気圧情報のうちの少なくとも一つ以上を受信し、前記受信した絶対位置情報及び前記絶対位置の周辺ＡＰ信号情報に基づいてＡＰの位置を計算する制御部と、前記計算されたＡＰの位置を利用して関連ＡＰ位置を更新する更新部と、を備えることを特徴とする。
【図面の簡単な説明】
【００１９】
【図１】本発明の第１実施形態によるＡＰ位置側位及び層間気圧情報の獲得を説明する図である。
【図２】本発明の第２実施形態によるＡＰ位置側位及び層間気圧情報の獲得を説明する図である。
【図３】本発明の第３実施形態によるＡＰ位置側位及び層間気圧情報の獲得を説明する図である。
【図４】本発明の一実施形態によるサーバー動作を示すフローチャートである。
【図５】本発明の一実施形態による端末機動作を示すフローチャートである。
【図６】本発明の一実施形態による携帯用電子装置を示す図である。
【図７】本発明の一実施形態によるサーバー装置を示す図である。
【発明を実施するための形態】
【００２０】
以下、本発明を実施するための形態の具体例を、図面を参照しながら詳細に説明する。本発明を説明することに当たって、関連する公知機能或いは構成に対する具体的な説明が本発明の要旨を不明確にするおそれがあると判断される場合には、その詳細な説明を省略する。そして、後述する用語は本発明における機能を考慮して定義したものであり、これは使用者、運用者の意図又は慣例などによって異なり得る。従って、その定義は本明細書全般に亘る内容に基づいて定められるべきである。
【００２１】
以下、本発明は、無線アクセスポイント（Ａｃｃｅｓｓ  Ｐｏｉｎｔ：ＡＰ）位置側位方法及びそのための装置について説明する。
【００２２】
特に、本発明は、端末ユーザの絶対位置を基盤として室内無線ＡＰの位置を自動的に側位し、室内の無線ＡＰの変更された位置情報を自動的に更新する技術である。ここで、端末ユーザの絶対位置は、室内に位置する二次元コード（例えば、ＱＲ（Ｑｕｉｃｋ  Ｒｅｓｐｏｎｓｅ）コード）、ＲＦ−Ｒｅａｄｅｒ（例えば、ＮＦＣ：Ｎｅａｒ  Ｆｉｅｌｄ  Ｃｏｍｍｕｎｉｃａｔｉｏｎ）又はＲＦＩＤ（Ｒａｄｉｏ  Ｆｒｅｑｕｅｎｃｙ  Ｉｎｄｅｎｔｉｆｉｃａｔｉｏｎ））、カード読取機（Ｃａｒｄ−Ｒｅａｄｅｒ）などを通じて得られる位置である。ＱＲコード（登録商標）やＲＦ−Ｒｅａｄｅｒ、カード読取機の位置は、データベース化してサーバーに構築される。
【００２３】
また、ＱＲコード（登録商標）、ＲＦ−Ｒｅａｄｅｒ、カード読取機を利用して獲得された端末ユーザの絶対位置を基盤として室内内部の層間気圧（各階毎の気圧）を自動的に側位して更新する技術である。
【００２４】
以下、室内内部にＱＲコード（登録商標）、ＲＦタグ、或いはカード読取機などが設置された箇所がユーザの絶対位置として使用される場合、絶対位置はサーバーにデータベースに管理される。
【００２５】
図１は、本発明の一実施形態によるＡＰ位置側位及び層間気圧情報の獲得を説明する図である。
【００２６】
図１を参照すると、ユーザは、端末機のＱＲコード（登録商標）認識アプリケーションを通じて、室内内部の該当するＱＲコード（登録商標）をスキャンする（ステップ１００）。
【００２７】
次に、端末機は、スキャンされたＱＲコード（登録商標）と共に、端末機のセンサーを通じて感知された気圧情報及び周辺ＡＰ信号情報のうちの少なくとも一つ以上を位置情報サーバーに提供する（ステップ１１０）。ＡＰ信号情報は、無線ＡＰの信号強度、無線ＡＰ固有名称であるＳＳＩＤ（Ｓｅｒｖｉｃｅ  Ｓｅｔ  Ｉｄｅｎｔｉｆｉｅｒ）、ＭＡＣアドレスなどを含んで構成される。スキャンされたＱＲコード（登録商標）はユーザ端末機の絶対位置として利用され、絶対位置は固定された点の位置を意味する。
【００２８】
次に、位置情報サーバーは、端末機から集められたＱＲコード（登録商標）と共に、端末機のサンサーを通じて感知された気圧情報及び周辺ＡＰ信号情報のうちの少なくとも一つ以上を利用して、ＡＰ位置及び気圧情報のうちの少なくとも一つ以上を更新する（ステップ１２０）。ここで、ＱＲコード（登録商標）及び周辺ＡＰ信号情報はＡＰ位置情報を更新するために使用され、端末機のセンサーを通じて感知された気圧情報は建物の層間情報（どの階に位置するかの情報）を更新するために使用される。
【００２９】
ＡＰ位置を計算するアルゴリズムは、多様に具現され、本発明において制限されるものではない。一例として、多数の端末機から絶対位置情報を指示するＱＲコード（登録商標）情報及び絶対位置から集められたＡＰ情報を組み合わせて、位置に応じて変わるＡＰの信号強度を推定することによってＡＰ位置を決定するか又は更新する。
【００３０】
次に、位置情報サーバーは、端末機から受信したＱＲコード（登録商標）に対応する位置情報を検索して端末機に提供する（ステップ１３０）。
【００３１】
他の具現例として、受信したＱＲコード（登録商標）に対応する位置情報の代わりに、位置情報サーバーは、決定されたか又は更新されたＡＰ位置に基づいてユーザ端末機の位置を側位し、その結果を端末機に提供してもよい（ステップ１３０）。一例として、三角測量法を活用して端末機の位置を推定することができる。
【００３２】
図２は、本発明の第２実施形態によるＡＰ位置側位及び層間気圧情報の獲得を説明する図である。
【００３３】
図２を参照すると、ユーザが建物内部の商店で物を購買した後にクレジットカードで決済する際に（ステップ２００）、カード読取機からユーザ端末機へ決済内容が伝送される（ステップ２１０）。
【００３４】
次に、端末機は、カード読取機に対する情報と共に、端末機のセンサーを通じて感知された気圧情報及び周辺ＡＰ信号情報のうちの少なくとも一つ以上を位置情報サーバーに提供する（ステップ２２０）。ＡＰ信号情報は、無線ＡＰの信号強度、無線ＡＰ固有名称であるＳＳＩＤ（Ｓｅｒｖｉｃｅ  Ｓｅｔ  Ｉｄｅｎｔｉｆｉｅｒ）、ＭＡＣアドレスなどを含んで構成される。カード読取機に対する情報は、ユーザ端末機の絶対位置として利用される。
【００３５】
次に、位置情報サーバーは、端末機から集められたカード読取機に対する情報と共に、端末機のセンサーを通じて感知された気圧情報及び周辺ＡＰ信号情報のうちの少なくとも一つ以上を利用して、ＡＰ位置及び気圧情報のうちの少なくとも一つ以上を更新する（ステップ２３０）。ここで、カード読取機に対する情報及び周辺ＡＰ信号情報はＡＰ位置情報を更新するために使用され、端末機のセンサーを通じて感知された気圧情報は建物の層間情報を更新するために使用される。
【００３６】
ＡＰ位置を計算するアルゴリズムは、多様に具現され、本発明において制限されるものではない。一例として、多数の端末機から絶対位置情報を示すカード読取機に対する情報及び絶対位置から集められたＡＰ情報を組み合わせて、位置に応じて変わるＡＰの信号強度を推定することによってＡＰ位置を決定するか又は更新する。
【００３７】
次に、位置情報サーバーは、端末機から受信したカード読取機に対する情報に対応する位置情報を検索して端末機に提供する（ステップ２４０）。
【００３８】
他の具現例として、受信したカード読取機に対する情報に対応する位置情報の代わりに、位置情報サーバーは、決定されたか又は更新されたＡＰ位置に基づいてユーザ端末機の位置を側位し、その結果を端末機に提供してもよい（ステップ２４０）。一例として、三角測量法を活用して端末機の位置を推定することができる。
【００３９】
図３は、本発明の第３実施形態によるＡＰ位置側位及び層間気圧情報の獲得を説明する図である。
【００４０】
図３を参照すると、ユーザが端末機内部のＲＦタグをＲＦリーターに接触させた時、或いは近接させた時に（ステップ３００）、ＲＦリーダーからユーザ端末機へＲＦリーダーに対する情報が伝送される（ステップ３１０）。
【００４１】
次に、端末機は、ＲＦリーダーに対する情報と共に、端末機のセンサーを通じて感知された気圧情報及び周辺ＡＰ信号情報のうちの少なくとも一つ以上を位置情報サーバーに提供する（ステップ３２０）。ＡＰ信号情報は、無線ＡＰの信号強度、無線ＡＰ固有名称であるＳＳＩＤ（Ｓｅｒｖｉｃｅ  Ｓｅｔ  Ｉｄｅｎｔｉｆｉｅｒ）、ＭＡＣアドレスなどを含んで構成される。カード読取機に対する情報は、ユーザ端末機の絶対位置として利用される。
【００４２】
次に、位置情報サーバーは、端末機から集められたカード読取機に対する情報と共に、端末機のセンサーを通じて感知された気圧情報及び周辺ＡＰ信号情報のうちの少なくとも一つ以上を利用して、ＡＰ位置及び気圧情報のうちの少なくとも一つ以上を更新する（ステップ３３０）。ここで、ＲＦリーダーに対する情報及び周辺ＡＰ信号情報はＡＰ位置情報を更新するために使用され、端末機のセンサーを通じて感知された気圧情報は建物の層間情報を更新するために使用される。
【００４３】
ＡＰ位置を計算するアルゴリズムは、多様に具現され、本発明において制限されるものではない。一例として、多数の端末機から絶対位置情報を示すＲＦリーダーに対する情報及び絶対位置から集められたＡＰ情報を組み合わせて、位置に応じて変わるＡＰの信号強度を推定することによってＡＰ位置を決定するか又は更新する。
【００４４】
次に、位置情報サーバーは、端末機から受信したＲＦリーダーに対する情報に対応する位置情報を検索して端末機に提供する（ステップ３４０）。
【００４５】
他の具現例として、受信したＲＦリーダーに対する情報に対応する位置情報の代わりに、位置情報サーバーは、決定されたか又は更新されたＡＰ位置に基づいてユーザ端末機の位置を側位し、その結果を端末機に提供してもよい（ステップ３４０）。一例として、三角測量法を活用して端末機の位置を推定することができる。
【００４６】
第１〜第３実施形態で上述したように、位置情報サーバーは、ユーザから伝達された絶対位置を基盤にユーザ位置を決定し、そしてユーザが伝送したユーザ周辺のＡＰ信号情報とデータベースに記憶されている無線ＡＰの位置とを比較してＡＰ位置を更新するか又は新しく追加する。従って、定期的な無線ＡＰの探索なしに自動的に無線ＡＰの位置をデータベース化して管理することができる。
【００４７】
図４は、本発明の一実施形態によるサーバー動作を示すフローチャートである。
【００４８】
図４を参照すると、サーバーは、ステップＳ４００で、多数の端末機から絶対位置情報と共に、端末機周辺のＡＰ信号情報及び気圧情報のうちの少なくとも一つ以上を受信する。絶対位置は、ＱＲコード（登録商標）、ＲＦリーダー、或いはカード読取機（Ｃａｒｄ−Ｒｅａｄｅｒ）が位置する地点である。
【００４９】
次に、サーバーは、ステップＳ４０２で、受信した端末機の絶対位置情報に対応する気圧情報を更新するか又は追加する。絶対位置情報に室内の層数（又は階数）を含めるようにすると、該当する層数の気圧情報は端末機のセンサーを通じて感知された気圧に更新されてデータベース化される。
【００５０】
次に、サーバーは、ステップＳ４０４で、絶対位置情報及び周辺ＡＰ信号情報に基づいてＡＰ位置情報を計算する。即ち、サーバーは、絶対位置及び絶対位置から集められたＡＰ情報を組み合わせて、位置に応じて変わるＡＰの信号強度を推定することでＡＰ位置を計算する。
【００５１】
次に、サーバーは、ステップＳ４０６で、計算されたＡＰ位置情報と既存データバースに記憶されているＡＰ位置情報とを比較して、ＡＰ位置変更がある場合、該当するＡＰ位置を更新する。
【００５２】
次に、サーバーは、ステップＳ４０８で、位置情報を要求した該当する端末機の周辺ＡＰ信号情報に基づいて三角測量法を利用して端末機の位置を計算し、計算された位置情報を該当する端末機に提供する。
【００５３】
最後に、本実施形態のステップを終了する。
【００５４】
図５は、本発明の一実施形態による端末機動作を示すフローチャートである。
【００５５】
図５を参照すると、端末機は、ステップＳ５００で、ＱＲコード（登録商標）、ＲＦリーダー、或いはカード読取機から絶対位置情報を獲得する。絶対位置情報は、ＱＲコード（登録商標）、ＲＦリーダー、或いはカード読取機が位置する地点の位置情報として、スキャンされたＱＲコード（登録商標）、ＲＦリーダー、或いはカード読取機から受信したＱＲコード（登録商標）、ＲＦリーダー、或いはカード読取機に対する位置情報である。
【００５６】
次に、端末機は、ステップＳ５０２で、絶対位置を示すスキャンされたＱＲコード（登録商標）、ＲＦリーダー、或いはカード読取機に対する情報と、絶対位置周辺のＡＰ信号情報及び気圧情報のうちの少なくとも一つ以上とをサーバーに伝送する。ＡＰ信号情報は、無線ＡＰの信号強度、無線ＡＰ固有名称であるＳＳＩＤ（Ｓｅｒｖｉｃｅ  Ｓｅｔ  Ｉｄｅｎｔｉｆｉｅｒ）、ＭＡＣアドレスなどを含んで構成される。
【００５７】
次に、端末機は、ステップＳ５０４で、サーバーから建物の層間情報を含めた位置情報を受信する。端末機の位置情報は、サーバーにより絶対位置情報及び絶対位置の周辺ＡＰ信号情報に基づいて計算されて必要な場合にＡＰ位置が更新され、更新されたＡＰ位置情報に基づいて該当する端末機の位置が計算される。更に、サーバーは絶対位置に該当する気圧情報を端末機から受信してデータベース化された建物の層間情報から該当する端末機の建物の層間情報を決定する。
【００５８】
図６は、本発明の一実施形態による携帯用電子装置を示す図である。
【００５９】
本実施形態による携帯用電子装置１００は、携帯用端末機、移動電話、移動パッド、メディアプレーヤー、タブレットコンピュータ、ハンドヘルドコンピュータ、又はＰＤＡ（Ｐｅｒｓｏｎａｌ  Ｄｉｇｉｔａｌ  Ａｓｓｉｓｔａｎｔ）のような装置である。また、このような装置の中の二つ以上の機能を結合した装置を含む任意の携帯用電子装置であってもよい。
【００６０】
携帯用電子装置６００は、メモリ６１０、プロセッサユニット６２０、通信ユニット６３０、外部ポート６４０、オーディオＩＣ（Ｉｎｔｅｇｒａｔｅｄ  Ｃｉｒｃｕｉｔ）ユニット６５０、スピーカー６６０、マイクロフォン６７０、カメラモジュール６８０、センサーモジュール６９０を含む。メモリ６１０と外部ポート６４０は多数個使用してもよい。
【００６１】
ここで、プロセッサユニット６２０は、メモリ制御機６２１、プロセッサ（中央処理装置（ＣＰＵ：Ｃｅｎｔｒａｌ  Ｐｒｏｃｅｓｓｉｎｇ  Ｕｎｉｔ）とも称する）６２２、及び周辺インターフェース６２３を含む。ここで、プロセッサは一つ以上存在してもよい。通信ユニット６３０は、基底帯域処理部（ｂａｓｅ  ｂａｎｄ  ｐｒｏｃｅｓｓｏｒ）６３２とＲＦＩＣユニット（Ｒａｄｉｏ  Ｆｒｅｑｕｅｎｃｙ  Ｉｎｔｅｇｒａｔｅｄ  Ｃｉｒｃｕｉｔ  Ｕｎｉｔ）６３１を含む。
【００６２】
また、このような構成要素の各々は一つ以上の通信バス又は信号線（参照番号未記載）を通じて互いに通信する。
【００６３】
このような構成要素は、一つ以上の集積回路のようなハードウェア又はソフトウェアで機能を具現することができ、或いはハードウェアとソフトウェアの組み合わせで具現してもよい。
【００６４】
図６に示した携帯用電子装置６００は一例である。携帯用電子装置は、図示したものより構成要素がより多いか又はより少ないこともある。また、図示とは異なる方式で構成してもよい。
【００６５】
携帯用電子装置に含まれる各構成要素について説明すると以下の様である。
【００６６】
メモリ６１０は、ランダムアクセスメモリ、フラッシュメモリを含む不揮発性メモリ、ロム（ＲＯＭ：Ｒｅａｄ  Ｏｎｌｙ  Ｍｅｍｏｒｙ）、電気的消去可能プログラマブルロム（ＥＥＰＲＯＭ：Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、磁気ディスク記憶装置、コンパクトディスクロム（ＣＤ−ＲＯＭ：Ｃｏｍｐａｃｔ  Ｄｉｓｃ−ＲＯＭ）、デジタル多目的ディスク（ＤＶＤｓ：Ｄｉｇｉｔａｌ  Ｖｅｒｓａｔｉｌｅ  Ｄｉｓｃｓ）又は他の形態の光学記憶装置、磁気カセットを含む。或いは、メモリ６１０は、上記の一部又は全部の組み合わせで構成してもよく、また各々の構成メモリは多数個含まれてもよい。
【００６７】
また、携帯用電子装置にインターネット、イントラネット、ＬＡＮ（Ｌｏｃａｌ  Ａｒｅａ  Ｎｅｔｗｏｒｋ）、ＷＬＡＮ（Ｗｉｄｅ  ＬＡＮ）、又はＳＡＮ（Ｓｔｏｒａｇｅ  Ａｒｅａ  Ｎｅｔｗｏｒｋ）のような通信ネットワーク、或いはこれらの組み合わせで構成された通信ネットワークを通じてアクセスできる付着可能な記憶装置を更に含んでもよい。このような記憶装置は、外部ポート６４０を通じて携帯用電子装置にアクセスすることができる。また、通信ネットワーク上の別の記憶装置がＲＦＩＣユニット６３１を通じて携帯用電子装置にアクセスしてもよい。
【００６８】
メモリ６１０はソフトウェアを記憶する。ソフトウェア構成要素はオペレーティングシステム（ＯＳ：ｏｐｅｒａｔｉｎｇ  ｓｙｓｔｅｍ）６１１、通信モジュール６１２、位置情報処理モジュール６１３、ユーザインターフェースモジュール６１４、及び一つ以上のアプリケーション６１５を含む。ここで、これらのソフトウェアを略して単にＯＳ、通信モジュールなどで表現することもある。また、ソフトウェアモジュールは命令語セット（ｉｎｓｔｒｕｃｔｉｏｎ  ｓｅｔ）とも表現される。
【００６９】
ＯＳ６１１（例えば、ＷＩＮＤＯＷＳ（登録商標）、ＬＩＮＵＸ（登録商標）、ダーウィン（Ｄａｒｗｉｎ）、ＲＴＸＣ、ＵＮＩＸ（登録商標）、ＯＳ  Ｘ、又はＶｘＷｏｒｋｓのような内蔵ＯＳ）は、一般的なシステム動作（ｓｙｓｔｅｍ  ｏｐｅｒａｔｉｏｎ）を制御する幾つかのソフトウェア構成要素を含む。このような一般的なシステム動作の制御は、例えば、メモリ管理及び制御、記憶ハードウェア（装置）制御及び管理、電力制御及び管理などを意味する。このようなＯＳは、幾つかのハードウェア（装置）とソフトウェア構成要素の間の通信を円滑にする機能も行う。
【００７０】
通信モジュール６１２は、ＲＦＩＣユニット６３１や外部ポート６４０を通じたデータ送信及びデータ受信を処理するための幾つのソフトウェア構成要素を含む。
【００７１】
位置情報処理モジュール６１３は、カメラモジュール６８０を通じてスキャンされたＱＲコード（登録商標）、ＲＦタグモジュール（図示せず）を通じてＲＦリーダーに接触する際或いはカード決済の時に、ＲＦＩＣユニット６３１を通じて受信したＲＦリーダーに対する情報或いはカード読取機に対する情報に対応する絶対位置情報に基づいてＡＰ位置更新及び層間情報更新をサポートする幾つかのソフトウェア構成要素を含む。例えば、図５に示すＡＰ位置情報更新及び層間情報更新のための端末機動作を制御するソフトウェア構成要素を含む。
【００７２】
ユーザインターフェースモジュール６１４は、ユーザインターフェースに関連する様々なソフトウェア構成要素を含む。ユーザインターフェースの状態がどのように変更されるか又はユーザインターフェース状態の変更がどのような条件で行われるかなどに対する内容を含む。
【００７３】
アプリケーション６１５は、ブラウザ、電子メール、インスタントメッセージ、ワードプロセッシング、キーボードエミュレーション、アドレスブック、タッチリスト、ウィジェット、ＪＡＶＡ（登録商標）イネーブルアプリケーション、符号化、デジタル著作権管理（ＤＲＭ：Ｄｉｇｉｔａｌ  Ｒｉｇｈｔ  Ｍａｎａｇｅｍｅｎｔ）、音声認識、音声復号、位置決定機能、位置基盤サービス、音楽プレーヤーなどを含む。
【００７４】
プロセッサユニット６２０に含まれるプロセッサ６２２又は周辺インターフェース６２３のような他の構成要素は、メモリ制御機６２１を通じてメモリ６１０にアクセスする場合にその制御を担当する。また、プロセッサ６２２は、メモリに含まれているソフトウェアモジュールを実行する。プロセッサは、携帯用電子装置の機能を実行する際に、全体制御機能を行う。メモリ制御機の機能はプロセッサに含めてもよい。場合によっては、プロセッサユニット６２０全体をプロセッサと称することもある。本発明では、更にプロセッサ６２２が図１に示したような端末機動作を制御する機能を行う。
【００７５】
外部ポート６４０は、例えば、これらに限定されるものではないが、ＵＳＢ（Ｕｎｉｖｅｒｓａｌ  ｓｅｒｉａｌ  Ｂｕｓ）ポート又はＦｉｒｅＷｉｒｅポートなどを言う。外部ポート６４０は、携帯用電子装置６００を他の電子装置に直接接続するか又はネットワーク（例えば、インターネット、イントラネット、無線ＬＡＮなど）を通じて他の電子装置に間接的に接続することに使用される。
【００７６】
周辺インターフェース６２３は、携帯用電子装置６００の入出力周辺装置をプロセッサ６２２及びメモリ６１０（メモリ制御機の制御下で）に接続させる。携帯用電子装置６００は多数個のプロセッサ６２２を含んでもよい。例えば、周辺インターフェース６２３は、カメラモジュール６８０及びセンサーモジュール６９０を、プロセッサ６２２及びメモリ６１０に接続させる。
【００７７】
プロセッサ６２２は、幾つかのソフトウェアプログラムを実行して携帯用電子装置６００のための多様な機能を遂行し、また音声通信及びデータ通信のための処理及び制御を遂行する。また、このような通常的な機能に加えて、プロセッサ６２２は、メモリ６１０に記憶されている特定のソフトウェアモジュール（命令語セット）を実行してそのモジュールに対応する特定の多様な機能を遂行する役割も行なう。
【００７８】
プロセッサ６２２、周辺インターフェース６２３、及びメモリ制御機６２１は単一チップで具現され、本実施形態ではこのように単一チップで構成したものをプロセッサユニット６２０と称する。或いは、この構成要素は単一チップではなく別のチップで具現されてもよい。
【００７９】
通信ユニット６３０は、ＲＦＩＣユニット６３１と基底帯域処理部６３２を含む。ＲＦＩＣユニット６３１は電磁波を送受信する。通信ユニット６３０は、基底帯域処理部６３２からの基底帯域信号を電磁波に変換してアンテナ（参照番号図示せず）を通じて送信する。また、通信ユニット６３０は、アンテナを通じて受信した電磁波を変換して基底帯域処理部に提供する。ＲＦＩＣユニット６３１は、図示していないが、ＲＦトランシーバ、増幅器、チューナー、オシレーター、デジタル信号処理機、ＣＯＤＥＣチップセット（ＣＯｄｉｎｇ  ＤＥＣｏｄｉｎｇ  ｃｈｉｐ  ｓｅｔ）、加入者識別モジュール（ＳＩＭ：Ｓｕｂｓｃｒｉｂｅｒ  Ｉｄｅｎｔｉｔｙ  Ｍｏｄｕｌｅ）カードなどを含む。
【００８０】
ＲＦＩＣユニット６３１は、電磁波を通じて通信ネットワーク及び通信装置と通信する。例えば、ＲＦＩＣユニット６３１は、インターネット、イントラネット、ネットワーク、セルラー電話ネットワーク、無線ＬＡＮ又は無線ＭＡＮ（ｍｅｔｒｏｐｏｌｉｔａｎ  ａｒｅａ  ｎｅｔｗｏｒｋ）のような無線ネットワークと通信し、また無線通信により他の電子装置と通信する。
【００８１】
無線通信は、これに限定されるものではなく、ＴＤＭＡ（Ｔｉｍｅ  Ｄｉｖｉｓｉｏｎ  Ｍｕｌｔｉｐｌｅ  Ａｃｃｅｓｓ）、ＧＳＭ(登録商標)（Ｇｌｏｂａｌ  Ｓｙｓｔｅｍ  ｆｏｒ  Ｍｏｂｉｌｅ  Ｃｏｍｍｕｎｉｃａｔｉｏｎ）、ＥＤＧＥ（Ｅｎｈａｎｃｅｄ  Ｄａｔａ  ＧＳＭ(登録商標)  Ｅｎｖｉｒｏｎｍｅｎｔ）、ＣＤＭＡ（Ｃｏｄｅ  Ｄｉｖｉｓｉｏｎ  Ｍｕｌｔｉｐｌｅ  Ａｃｃｅｓｓ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、Ｂｌｕｅｔｏｏｔｈ（登録商標）、ＮＦＣ（Ｎｅａｒ  Ｆｉｅｌｄ  Ｃｏｍｍｕｎｉｃａｔｉｏｎ）、赤外線通信、ＲＦＩＤ通信、ＶｏＩＰ（Ｖｏｉｃｅ  ｏｖｅｒ  Ｉｎｔｅｒｎｅｔ  Ｐｒｏｔｏｃｏｌ）、ワイファイ（Ｗｉｒｅｌｅｓｓ  Ｆｉｄｅｌｉｔｙ：Ｗｉ−Ｆｉ）、Ｗｉ−ＭＡＸ、電子メール、インスタントメッセージング又は短文メッセージサービス（ＳＭＳ：ｓｈｏｒｔ  ｍｅｓｓａｇｅ  ｓｅｒｖｉｃｅ）向けのプロトコル又はこれらの幾つの通信方式の任意の組み合わせを用いた通信を言う。
【００８２】
一実施例として、ＲＦＩＣユニットは、アンテナ（図面番号図示せず）を通じて受信したＲＦ信号を周波数変換して基底帯域処理部６３２に提供し、また基底帯域処理部６３２からの基底帯域信号を周波数変換してアンテナを通じて送信する。基底帯域処理部６３２は基底帯域信号を処理する際に、例えば、ＣＤＭＡ通信において、送信の場合、基底帯域処理部６３２は、送信するデータをチャンネル符号及び拡散（ｓｐｒｅａｄｉｎｇ）する機能を遂行し、受信の場合、基底帯域処理部６３２は、受信信号を逆拡散（ｄｅ−ｓｐｒｅａｄｉｎｇ）及びチャンネル復号する機能を遂行する。
【００８３】
オーディオＩＣユニット６５０は、スピーカー６６０及びマイクロフォン６７０に接続すると共に、ユーザと携帯用電子装置６００との間にオーディオインターフェースを提供する。即ち、オーディオＩＣユニット６５０は、スピーカー６６０及びマイクロフォン６７０を通じてユーザと通信する。オーディオＩＣユニット６５０は、プロセッサユニット６５０の周辺インターフェース６２３を通じてデータ信号を受信し、受信したデータ信号を電気信号に変換する。変換された電気信号はスピーカー６６０に伝達される。スピーカー６６０は電気信号を人が聞くことができる音波に変換して出力する。マイクロフォン６７０は、人や他の異なる音源から伝達された音波を電気信号に変換する。オーディオＩＣユニット６５０は、マイクロフォン６７０からこのように変換された電気信号を受信する。オーディオＩＣユニット６５０は、受信した電気信号をオーディオデータ信号に変換し、変換されたオーディオデータ信号を周辺インターフェース６２３に伝送する。オーディオデータは周辺インターフェース６２３を通じてメモリ６１０に伝送されるか又は通信ユニット６３０に伝送される。オーディオＩＣユニット６５０には、脱着可能なイヤーフォン、ヘッドフォン、又はヘッドセットを接続することもできる。ヘッドセットは出力（片耳又は両耳用のヘッドフォン）と入力（マイクロフォン）機能が両方可能な場合もある。オーディオＩＣユニット６５０は、イヤーフォン、ヘッドフォン、又はヘッドセットとのインターフェースを提供するジャック（図示せず）を含んでもよい。ジャックはイヤーフォンジャック又はヘッドセットジャックとも言う。
【００８４】
カメラモジュール６８０は、撮影された映像（例えば、ＱＲコード（登録商標））をデジタルデータに変換して周辺インターフェース６２３を通じてプロセッサ６２２に提供する。
【００８５】
センサーモジュール６９０は、慣性センサー（例えば、加速度センサー、ジャイロセンサー、高度センサーなど）と付加的センサー（気圧センサー、地磁気センサーなど）を通じて信号を感知し、感知された信号を、周辺インターフェース６２３を通じてプロセッサ６２２に提供する。
【００８６】
また、携帯用電子装置６００は、携帯用電子装置６００に含まれる幾つかの構成要素に電力を供給する電力システム（図示せず）を含む。電力システムは、電源（交流電源やバッテリ）、電力エラー検出回路、電力コンバーター、電力インバータ、充電装置又は／及び電力状態表示装置（発光ダイオード）を含み得る。また、電力の生成、管理及び分配機能を遂行する電力管理及び制御装置を含んでもよい。
【００８７】
また、携帯用装電子置６００は、タッチスクリーン（図示せず）で入力して遂行できる幾つの機能を別のタッチパッドを通じて入力して使用してもよい。このような機能は、物理的入力及び制御装置（例えば、ダイアル又はボタン）を使用することができる。携帯用電子装置６００をオン又はオフさせて閉じるためのプッシュボタン、ボリューム調節ロックボタン、リンガープロファイル、トグル用のスライダスイッチなどがこれに該当する。また、携帯用装電子置６００は、マイクロフォン６７０を通じて予め定められた機能を活性化又は非活性化させるための音声入力を処理する機能を含んでもよい。
【００８８】
具現に応じて、二次元コードであるＱＲコード（登録商標）の代わりに、一次元コードであるバーコードに代替可能であることは勿論である。
【００８９】
図７は、本発明の一実施形態によるサーバー装置を示す図である。
【００９０】
図７を参照すると、サーバーは、制御部７００、記憶部７１０、更新部７２０を含んで構成される。しかし、サーバーは、図示したものより多い構成要素を更に含んでもよく、或いは、図示したものと異なる方式で構成してもよい。
【００９１】
制御部７００は、全般的なサーバーを制御し、ＡＰ位置情報及び端末機の位置情報を決定する。例えば、制御部７００は、多数の端末機から絶対位置情報と共に、端末機周辺のＡＰ信号情報及び気圧情報のうちの少なくとも一つ以上を、インタフェース（図示せず）を通じて受信する。絶対位置は、ＱＲコード（登録商標）、ＲＦリーダー、或いはカード読取機が位置する地点である。
【００９２】
更新部７２０は、受信した端末機の絶対位置情報に対応する気圧情報を更新するか又は追加し、その結果を記憶部７１０に記憶する。
【００９３】
絶対位置情報に室内の層数を含めた場合、該当する層数の気圧情報は、端末機のセンサーを通じて感知された気圧に更新されてデータベース化される。
【００９４】
制御部７００は、絶対位置情報及び周辺ＡＰ信号情報に基づいてＡＰ位置情報を計算する。例えば、制御部７００は、記憶部７１０にデータベース化された絶対位置及び絶対位置でのＡＰ信号情報を組み合わせて、位置に応じて変わるＡＰの信号強度を推定することでＡＰ位置を計算する。
【００９５】
更新部７２０は、計算されたＡＰ位置情報と既存データバースに記憶されているＡＰ位置情報とを比較して、ＡＰ位置変更がある場合、該当するＡＰ位置を更新する。
【００９６】
制御部７００は、位置情報を要求した該当端末機の周辺ＡＰ信号情報に基づいて三角測量法を利用して端末機の位置を計算し、計算された位置情報を該当端末機に提供する。
【００９７】
記憶部７１０は、多数の端末機から集められた周辺ＡＰ信号情報及び気圧情報のうちの少なくとも一つ以上を記憶する。
【００９８】
本実施形態による方法は、ハードウェア、ソフトウェア、又はハードウェアとソフトウェアの組み合わせの形態で具現することができる。
【００９９】
ソフトウェアで具現する場合、一つ以上のプログラム（ソフトウェアモジュール）を記憶するコンピューター読み取り可能な記録媒体が提供され得る。コンピューター読み取り可能な記録媒体に記録される一つ以上のプログラムは、電子装置内の一つ以上のプロセッサにより実行可能に構成される。一つ以上のプログラムは、電子装置に対して、本実施形態による方法を実行するようにする命令語を含む。
【０１００】
このようなプログラム（ソフトウェアモジュール、ソフトウェア）は、ＲＡＭ（ｒａｎｄｏｍ  ａｃｃｅｓｓ  ｍｅｍｏｒｙ）、フラッシュメモリを含む不揮発性メモリ、ＲＯＭ（Ｒｅａｄ  Ｏｎｌｙ  Ｍｅｍｏｒｙ）、電気的消去可能プログラマブルロム（ＥＥＰＲＯＭ）、磁気ディスク記憶装置、コンパクトディスクロム（ＣＤ−ＲＯＭ）、デジタル多目的ディスク（ＤＶＤ）又は他の形態の光学記憶装置、磁気カセットに記憶され得る。或いは、この一部又は全部の組み合わせで構成されたメモリに記憶してもよい。また、各々の構成メモリは多数個含んでもよい。
【０１０１】
また、電子装置にインターネット、イントラネット、ＬＡＮ、ＷＬＡＮ、又はＳＡＮのような通信ネットワーク、又はこれらの組み合わせで構成された通信ネットワークを通じてアクセスできる付着可能な記憶装置に記憶してもよい。この記憶装置は外部ポートを通じて電子装置にアクセスすることができる。
【０１０２】
上述したように、建物内で変更される無線ＡＰ位置情報を別の更新作業なしに自動的に管理できるため、無線ＡＰの位置変更が多い環境において高い正確度の室内位置情報を側位できるという利点がある。また、ＱＲコード（登録商標）配置を利用する場合、廉価な費用でＡＰ位置更新のためのインフラを構築することができる。
【０１０３】
また、ショッピングセンターにおいて自動化のためにカード読取機の配置を利用する場合、客のショッピング情報とショッピングパターンに応じる動線も共に把握可能になる。それにより客に勧めるショッピング動線を提示することもできる。
【０１０４】
また、絶対的気圧で高度を測定する方式ではなく、絶対位置を基準にする気圧を利用することによって、高度を測定した正確な建物の層間情報を区別することができる。
【０１０５】
以上、図面を参照しながら本発明の実施形態を説明したが、本発明は、上述の実施形態に限定されるものではなく、本発明の技術的範囲から逸脱しない範囲内で多様に変更実施することが可能である。
【符号の説明】
【０１０６】
６００    携帯用電子装置
６１０    メモリ
６１１    オペレーティングシステム（ＯＳ）
６１２    通信モジュール
６１３    位置情報処理モジュール
６１４    ユーザインターフェースモジュール
６１５    アプリケーション
６２０    プロセッサユニット
６２１    メモリ制御機
６２２    プロセッサ
６２３    周辺インターフェース
６３０    通信ユニット
６３１    ＲＦＩＣユニット
６３２    基底帯域処理部
６４０    外部ポート
６５０    オーディオＩＣユニット
６６０    スピーカー
６７０    マイクロフォン
６８０    カメラモジュール
６９０    センサーモジュール
７００    制御部
７１０    記憶部
７２０    更新部
【図１】
2013172451.tif 000003
【図２】
2013172451.tif 000004
【図３】
2013172451.tif 000005
【図４】
2013172451.tif 000006
【図５】
2013172451.tif 000007
【図６】
2013172451.tif 000008
【図７】
2013172451.tif 000009